(57)【要約】【課題】例えば、被装着体としての表示部及びキー入力部を有する電子装置本体に装着して用いる場合に、電子装置本体を手首で傾けることなく、表示部の視認性、及び、キー入力部やタッチパネルの操作性を向上させることができるストラップ装置を提供する。【解決手段】ストラップ装置２５は、被装着体に取り付けられる、略矩形平板状のベルトベース２６と、輪状に形成され、ベルトベース２６の略中心部にベルトベース２６と略平行な面内で回動自在に軸支されたストラップベルト２７とを備えている。ベルトベース２６は、ストラップベルト２７を回動自在に軸支する軸受部材としてのピボット金具を備える背面部と、背面部に対向する正面部とにより構成され、ストラップベルト２７は、ベルトベース２６の正面部から背面部にベルトベース２６を跨ぐように構成されている。【選択図】図１
2009205531.tif 000002
【特許請求の範囲】
【請求項１】
被装着体に取り付けられる、略平板状のベルトベースと、
輪状に形成され、前記ベルトベースの略中心部に前記ベルトベースと略平行な面内で回動自在に軸支されたストラップベルトとを備えたストラップ装置。
【請求項２】
前記ストラップベルトは、前記ベルトベースにおける相対向する左右の外周縁それぞれから突出し、前記ストラップベルトが突出する前記左右の外周縁間を連結する前記ベルトベースの上下の外周縁の少なくともいずれか一方に切欠き部を備えた、請求項１に記載のストラップ装置。
【請求項３】
前記ベルトベースにおける前記左右の外周縁に凹状の切欠き部を備えた、請求項２に記載のストラップ装置。
【請求項４】
前記ベルトベースは、前記ストラップベルトを回動自在に軸支する軸受部材を備える背面部と、前記背面部に対向する正面部とにより構成され、前記ストラップベルトは、前記正面部から前記背面部に前記ベルトベースを跨ぐ、請求項１〜３のいずれか１項に記載のストラップ装置。
【請求項５】
前記ベルトベースの正面部の略中心部に、前記ストラップベルト側に突出する突出部を備えた、請求項４に記載のストラップ装置。
【請求項６】
前記突出部が丸みを帯びている、請求項５に記載のストラップ装置。
【請求項７】
前記ベルトベースの前記外周縁の各コーナー部に、前記ベルトベースを前記被装着体に取り付けるための取付部材を備えた、請求項１〜６のいずれか１項に記載のストラップ装置。
【請求項８】
前記ベルトベースにおける、上側の左右一対のコーナー部の前記取付部材及び下側の左右一対のコーナー部の前記取付部材の少なくともいずれか一方が、前記被装着体に対して着脱可能に構成されている、請求項７に記載のストラップ装置。
【請求項９】
表示部で表示される表示信号を制御する制御部を備える第１筐体と、前記制御部から入力された入力信号及び／又は前記表示部に表示する表示信号を処理する信号処理回路が実装された回路基板と、前記回路基板を内包して前記第１筐体と共に箱体を形成する第２筐体とを有する電子装置本体と、
前記第２筐体に装着された請求項１〜８のいずれか１項に記載のストラップ装置とを備えた電子装置。
【請求項１０】
前記第１筐体の同一面に、前記表示部と前記制御部とを備えた、請求項９記載の電子装置。
【発明の詳細な説明】
【技術分野】
【０００１】
本発明は、例えば、ノートパソコンやＰＤＡ（personal digital assistant）等の、被装着体としての電子装置等に装着して用いられるストラップ装置、及び、当該ストラップ装置を備えた電子装置に関する。
【背景技術】
【０００２】
近年、ノートパソコンやＰＤＡ等の、携帯性に優れた電子装置が一般的となってきており、それらの携帯性を向上させるためにストラップ装置を装着したものも少なくない（例えば、特許文献１、２参照）。
【０００３】
特許文献１には、ノートパソコン本体の底面（背面）に、ノートパソコン本体を保持する手を固定するための固定ベルト等の保持部（ハンドストラップ）を取り付けたものが開示されている。特許文献１に開示された構成によれば、例えば、左手の掌をハンドストラップに通してノートパソコン本体を保持し、右手でノートパソコンを操作することができる。尚、この場合、ハンドストラップは、ノートパソコンの表示部（ディスプレイ）やキー入力部（キーボード）の長手方向に沿って取り付けられている。
【０００４】
また、特許文献２には、特許文献１の上記構成を備えると共に、ユーザの手の大きさに合わせてハンドストラップの大きさを調整できるようにしたものが開示されている。
【特許文献１】特開２０００−１０５６３０号公報（請求項３、図１〜図３）
【特許文献２】特開２００７−１０２５３２号公報（請求項１、２、図１）
【発明の開示】
【発明が解決しようとする課題】
【０００５】
しかし、上記特許文献１、２に開示されたものにあっては、ハンドストラップが、ノートパソコンの表示部やキー入力部の長手方向に沿って取り付けられているため、ハンドストラップに通した手の指の方向に対して、ノートパソコンの表示部の視認方向やキー入力部の入力キーの配列方向が直交し、表示部の視認性、及び、キー入力部やタッチパネルの操作性に劣るという問題があった。すなわち、ノートパソコン本体を普通に保持した場合には、表示部の視認方向やキー入力部の入力キーの配列方向が斜めに傾いてしまう。このため、実際の使用においては、表示部の視認性、及び、キー入力部やタッチパネルの操作性を向上させるべくノートパソコン本体を手首で傾ける必要があり、手首の疲労に繋がるという問題があった。
【０００６】
本発明は、従来技術における前記課題を解決するためになされたものであり、例えば、被装着体としての表示部及びキー入力部を有する電子装置本体に装着して用いる場合に、電子装置本体を手首で傾けることなく、表示部の視認性、及び、キー入力部やタッチパネルの操作性を向上させることができるストラップ装置、並びに、当該ストラップ装置を備えた電子装置を提供することを目的とする。
【課題を解決するための手段】
【０００７】
前記目的を達成するため、本発明に係るストラップ装置の構成は、被装着体に取り付けられる、略平板状のベルトベースと、輪状に形成され、前記ベルトベースの略中心部に前記ベルトベースと略平行な面内で回動自在に軸支されたストラップベルトとを備えたことを特徴とする。
【０００８】
このストラップ装置の構成によれば、掌を通す輪状のストラップベルトが、被装着体に取り付けられるベルトベースの略中心部に当該ベルトベースと略平行な面内で回動自在に軸支されているので、例えば、被装着体としての表示部及びキー入力部を有する電子装置本体に装着して用いる場合に、電子装置本体を手首で傾けなくても、電子装置本体を回転させて、表示部の視認性、及び、キー入力部やタッチパネルの操作性を向上させることができる。その結果、電子装置本体を長時間使用しても、手首の疲労に繋がることはない。また、ストラップベルトはベルトベース（被装着体）に対して時計回り、反時計回りに回動させることができるので、右利きのユーザが使用しても左利きのユーザが使用しても、同様の効果を得ることができる。
【０００９】
前記本発明のストラップ装置の構成においては、前記ストラップベルトは、前記ベルトベースにおける相対向する左右の外周縁それぞれから突出し、前記ストラップベルトが突出する前記左右の外周縁間を連結する前記ベルトベースの上下の外周縁の少なくともいずれか一方に切欠き部を備えているのが好ましい。この好ましい例によれば、ストラップベルトのベルトベースに対する回動動作を許容することができ、かつ、例えば、被装着体としての、背面側にカメラ等が設けられている電子装置本体に装着して用いる場合に、ベルトベースによってカメラ等が隠れてしまうことを防止することができる。また、この場合には、前記ベルトベースにおける前記左右の外周縁に凹状の切欠き部を備えているのが好ましい。この好ましい例によれば、ストラップベルトのベルトベースに対する回動動作を許容しつつ、ストラップベルトの小型化を図ることができる。
【００１０】
また、前記本発明のストラップ装置の構成においては、前記ベルトベースは、前記ストラップベルトを回動自在に軸支する軸受部材を備える背面部と、前記背面部に対向する正面部とにより構成され、前記ストラップベルトは、前記正面部から前記背面部に前記ベルトベースを跨いでいるのが好ましい。この好ましい例によれば、ストラップ装置を被装着体に装着した場合に、輪状のストラップベルトの、ベルトベースの背面側に位置する部分がベルトベースによって押さえられるので、ストラップベルトの形状を安定させることができる。また、この場合には、前記ベルトベースの正面部の略中心部に、前記ストラップベルト側に突出する突出部を備えているのが好ましい。この場合にはさらに、前記突出部が丸みを帯びているのが好ましい。これらの好ましい例によれば、掌をストラップベルトに通して被装着体としての電子装置本体等を保持する際に、突出部が掌の窪みに馴染み、余分な力を必要とせず、把持しやすくなるので、電子装置本体等を快適に使用することができる。
【００１１】
また、前記本発明のストラップ装置の構成においては、前記ベルトベースの前記外周縁の各コーナー部に、前記ベルトベースを前記被装着体に取り付けるための取付部材を備えているのが好ましい。また、この場合には、前記ベルトベースにおける、上側の左右一対のコーナー部の前記取付部材及び下側の左右一対のコーナー部の前記取付部材の少なくともいずれか一方が、前記被装着体に対して着脱可能に構成されているのが好ましい。これらの好ましい例によれば、例えば、被装着体としての、背面側にバッテリーを交換する際に取り外し可能な蓋体を備えたバッテリーパックが設けられている電子装置本体に装着して用いる場合に、ベルトベースの、上下いずれかの左右一対のコーナー部を、電子装置本体から外して、バッテリーの交換を容易に行うことができる。
【００１２】
また、本発明に係る電子装置の構成は、表示部で表示される表示信号を制御する制御部を備える第１筐体と、前記制御部から入力された入力信号及び／又は前記表示部に表示する表示信号を処理する信号処理回路が実装された回路基板と、前記回路基板を内包して前記第１筐体と共に箱体を形成する第２筐体とを有する電子装置本体と、前記第２筐体に装着された前記本発明のストラップ装置とを備えたことを特徴とする。ここで、「制御部」とは、表示信号に変換する情報信号を入力するキー入力部や、表示信号を表示部中に表示する領域の場所、大きさ等を制御するスクロールボタンや、表示部中にキー入力する場所を変更又は特定する操作ボタン等を含む概念である。
【００１３】
この電子装置の構成によれば、表示部の視認性、及び、キー入力部やタッチパネルの操作性を向上させることができる等、の上述の効果が得られると共に、以下の効果を得ることもできる。すなわち、上述のように、把持しやすく、操作性にも優れるので、掌をストラップベルトに通して保持した電子装置本体の落下を抑制することができる。その結果、電子装置本体の落下によって当該電子装置本体が故障したり、ユーザ自身やその周りの人間を傷つけたりすることもなくなる。また、電子装置本体としてのノートパソコン本体は、一般的にノートパソコン本体をテーブル等の上に置いて操作することを前提に設計されているため、ノートパソコン本体内部で発生した熱はテーブルに対向する背面を介して放熱させる構成を採用しているが、ノートパソコン本体に本発明のストラップ装置を装着し片手で保持しながら操作した場合には、保持している片手の掌とノートパソコン本体の背面との間にベルトベースが介在するため、ノートパソコン本体内部で発生した熱の掌への伝導を抑制することができる。
【００１４】
また、前記本発明の電子装置の構成においては、前記第１筐体の同一面に、前記表示部と前記制御部とを備えているのが好ましい。
【発明の効果】
【００１５】
本発明によれば、例えば、被装着体としての表示部及びキー入力部を有する電子装置本体に装着して用いる場合に、電子装置本体を手首で傾けることなく、表示部の視認性、及び、キー入力部やタッチパネルの操作性を向上させることができるストラップ装置、並びに、当該ストラップ装置を備えた電子装置を提供することができる。
【発明を実施するための最良の形態】
【００１６】
以下、実施の形態を用いて本発明をさらに具体的に説明する。
【００１７】
［実施の形態１］
本発明のストラップ装置は、ノートパソコンやＰＤＡ等の電子装置本体等に装着して用いられる。そこで、まず、電子装置本体としてのノートパソコンに装着して用いられるストラップ装置について説明する。
【００１８】
（ストラップ装置）
図１は、本発明の実施の形態１におけるストラップ装置を示す正面図、図２は、本発明の実施の形態１におけるストラップ装置を示す背面図、図３は、本発明の実施の形態１における、ストラップ装置を装着したノートパソコン本体の使用状態を示す背面斜視図である。
【００１９】
図１、図２に示すように、本実施の形態のストラップ装置２５は、被装着体に取り付けられる、略矩形平板状のベルトベース２６と、輪状に形成され、ベルトベース２６の略中心部にベルトベース２６と略平行な面内で回動自在に軸支されたストラップベルト２７とを備えている。ここで、ベルトベース２６は、ストラップベルト２７を回動自在に軸支する軸受部材としてのピボット金具２８を備える背面部と、背面部に対向する正面部とにより構成され、ストラップベルト２７は、ベルトベース２６の正面部から背面部にベルトベース２６を跨ぐように構成されている。ストラップ装置２５をこのような構成としたことにより、ストラップ装置２５を被装着体としてのノートパソコン本体２９の背面に装着した場合に（図３参照）、輪状のストラップベルト２７の、ベルトベース２６の背面部側に位置する部分がベルトベース２６によって押さえられるので、ストラップベルト２７の形状を安定させることができる。尚、ストラップベルト２７は、図１の状態から±２０°程度回動させることができる（図１の矢印Ｄ、Ｅ参照）。
【００２０】
また、ストラップベルト２７は、ベルトベース２６における相対向する左右の外周縁それぞれから突出しており、これにより、ストラップベルト２７のベルトベース２６に対する回動動作を許容することができるようにされている。尚、ストラップベルト２７は、その大きさをユーザの手の大きさに合わせて変えることができるように構成されている（実施の形態２の説明を参照）。
【００２１】
また、ベルトベース２６の正面部の略中心部には、ストラップベルト２７側に突出する突出部３０が設けられており、これにより、掌をストラップベルト２７に通して被装着体としてのノートパソコン本体２９を保持する際に（図３参照）、ノートパソコン本体２９の背面からの放熱が掌に伝達し難くなるようにされている。尚、突出部３０は、丸みを帯びているのが好ましい。
【００２２】
ベルトベース２６には、下側の左右一対のコーナー部に取付部材としてのネジ挿通孔３１が設けられている。これにより、ストラップ装置２５をノートパソコン本体２９の背面に装着する際に、ベルトベース２６のネジ挿通孔３１を、ノートパソコン本体２９の背面の下側の左右一対のコーナー部のネジ孔（図示せず）の位置に合わせ、ネジ３２を用いてネジ止め固定することができる（図３参照）。また、ベルトベース２６には、背面部の上側の左右一対のコーナー部に取付部材としての雄型のホック３３が設けられている。これにより、ストラップ装置２５をノートパソコン本体２９の背面に装着する際に、ベルトベース２６の雄型のホック３３を、ノートパソコン本体２９の背面の上側の左右一対のコーナー部の雌型のホック（図示せず）に留めることができる（図３参照）。ノートパソコン本体２９のバッテリーはキーボードの上側に備わっているが、このようにベルトベース２６の上側の左右一対のコーナー部の取付部材をノートパソコン本体２９に対して着脱可能に構成することにより、ノートパソコン本体２９のバッテリー交換を、ベルトベース２９の上側の左右一対のコーナー部をノートパソコン本体２９から外すことにより、容易に行うことができる。
【００２３】
（ストラップ装置、及び、当該ストラップ装置を装着した電子装置本体の使用方法）
次に、本実施の形態のストラップ装置、及び、当該ストラップ装置を装着した電子装置本体の使用方法について説明する。
【００２４】
図３に示すように、ノートパソコン本体２９は、液晶（ＬＣ（liquid crystal））表示部で表示される表示信号を制御する制御部を備える前面側の第１筐体３４と、制御部から入力された入力信号及び／又は液晶表示部に表示する表示信号を処理する信号処理回路が実装された回路基板（図示せず）と、回路基板を内包して第１筐体３４と共に箱体を形成する背面側の第２筐体３５とを有している。ここで、「制御部」は、表示信号に変換する情報信号を入力するキー入力部や、表示信号を液晶表示部中に表示する領域の場所、大きさ等を制御するスクロールボタンや、液晶表示部中にキー入力する場所を変更又は特定する操作ボタン等を含む。
【００２５】
本実施の形態のストラップ装置２５は、電子装置本体としてのノートパソコン本体２９の背面側に装着した状態で使用される。ストラップ装置２５のノートパソコン本体２９への装着は、まず、ベルトベース２６の下側の左右一対のコーナー部のネジ挿通孔３１を、ノートパソコン本体２９の背面の下側の左右一対のコーナー部のネジ孔の位置に合わせ、ネジ３２を用いてネジ止め固定し、次いで、ベルトベース２６の上側の左右一対のコーナー部の雄型のホック３３を、ノートパソコン本体２９の背面の上側の左右一対のコーナー部の雌型のホックに留めることにより行われる。そして、このようにしてストラップ装置２５をノートパソコン本体２９に装着したら、左手の掌をストラップベルト２７に通してノートパソコン本体２９を保持し、右手でキー操作等を行う。この場合、左手の掌を通すストラップベルト２７が、ノートパソコン本体２９に取り付けられるベルトベース２６の略中心部に当該ベルトベース２６と略平行な面内で回動自在に軸支されているので、図３に示すように、ノートパソコン本体２９を手首で傾けなくても、ノートパソコン本体２９を回転させて、表示部（ディスプレイ）の視認性、及び、キー入力部（キーボード）の操作性を向上させることができる。その結果、ノートパソコン本体２９を左手で保持した状態で長時間使用しても、手首の疲労に繋がることはない。また、ストラップベルト２７はベルトベース２６（ノートパソコン本体２９）に対して時計回り、反時計回りに回動させることができるので、右利きのユーザが使用しても左利きのユーザが使用しても、同様の効果を得ることができる。さらに、一般的にノートパソコン２９はテーブル等の上に置いて操作することを前提に設計されているため、ノートパソコン２９内部に発生する熱はテーブル等に対向する背面から放熱する構成を採用している。そこで、ノートパソコン本体２９にストラップ装置２５を装着しノートパソコン２９を保持しながら操作した場合には、ノートパソコン本体２９内部で発生した熱が背面を介して保持している掌への熱の伝導を、ベルトベース２６により抑制することができる。また、ベルトベース２６に突出部３０を備えると、さらに掌への伝熱抑制効果が高まる。
【００２６】
尚、本実施の形態のストラップ装置２５においては、ベルトベース２６の正面部の略中心部に、ストラップベルト２７側に突出する突出部３０が設けられているが、この突出部３０は必ずしも必須のものではない。
【００２７】
また、本実施の形態のストラップ装置２５においては、ベルトベース２６が、ストラップベルト２７を回動自在に軸支する軸受部材としてのピボット金具２８を備える背面部と、背面部に対向する正面部とにより構成され、ストラップベルト２７が、ベルトベース２６の正面部から背面部にベルトベース２６を跨ぐように構成されているが、必ずしもこの構成に限定されるものではない。例えば、輪状のストラップベルトを、ベルトベースの正面側に配置し、かつ、ベルトベースの正面側で軸支するようにしてもよい。
【００２８】
また、本実施の形態のストラップ装置２５においては、ベルトベース２６の上側の左右一対のコーナー部の取付部材のみが、被装着体（ノートパソコン本体２９）に対して着脱可能に構成されているが、ベルトベースにおける、上側の左右一対のコーナー部の取付部材及び下側の左右一対のコーナー部の取付部材の少なくともいずれか一方が、被装着体に対して着脱可能に構成されていればよい。また、バッテリー交換等が不要な場合には、ベルトベースのいずれのコーナー部の取付部材も、被装着体としてのノートパソコン本体２９に対して着脱可能に構成する必要はない。
【００２９】
［実施の形態２］
（電子装置本体）
本実施の形態のストラップ装置は、特に、ＰＤＡタイプの電子装置本体に装着して用いられる。そこで、まず、ＰＤＡタイプの電子装置本体の一例について説明する。
【００３０】
図１１は、本発明の実施の形態２における電子装置本体を示す前面斜視図、図１２は、本発明の実施の形態２における電子装置本体を示す背面斜視図、図１３は、図１２のＡ部を拡大して示した斜視図である。
【００３１】
図１１、図１２に示すように、本実施の形態の電子装置本体１は、前面側の第１筐体２と、後述する回路基板と、当該回路基板を内包して第１筐体２と共に箱体を形成する背面側の第２筐体３とを有している。
【００３２】
図１１に示すように、第１筐体２は、情報信号を変換した視認情報を表示する外形が長方形状の液晶（ＬＣ（liquid crystal））表示部４と、液晶表示部４の下側の長辺に沿って複数列配置された、前記情報信号を入力する複数の第１入力キー５ａからなるキー入力部５と、液晶表示部４の右側に配置され、前記複数の第１入力キー５ａのキー操作による入力操作を補助する補助キー６とを同一面（前面）に備えている。
【００３３】
図１２に示すように、第２筐体３は、上側の中央部に設けられたカメラ７と、当該カメラ７の左右両側に配置され、バーコードリーダのトリガースイッチとなる長円形のトリガーボタン（第２入力キー）８とを備えている。また、第２筐体３には、その左右両側にバッテリーパック９が設けられており、当該バッテリーパック９は、バッテリー（図示せず）を交換する際に取り外し可能な蓋体９ａを備えている。尚、左右一対のバッテリーパック９の対向する縁部９ｂは、電子装置本体１を両手で持って操作するときに親指以外の指の先端が当たる箇所である。また、第２筐体３には、上側の左右一対のコーナー部にネジ孔１０が穿設されており、これにより、後述するストラップ装置１２におけるベルトベース１３の上側の左右一対のコーナー部を、第２筐体３の上側の左右一対のコーナー部にネジ止め固定することができるようにされている。
【００３４】
図１２、図１３に示すように、第２筐体３には、下側の左右一対のコーナー部にフック部１１が設けられており、これにより、後述するストラップ装置１２におけるベルトベース１３の下側の左右一対のコーナー部を、第２筐体３の下側の左右一対のコーナー部に取り付けることができるようにされている。
【００３５】
尚、電子装置本体１の内部には、キー入力部５等から入力された入力信号や液晶表示部４に表示する表示信号を処理する信号処理回路が実装された回路基板（図示せず）が配置されている。
【００３６】
（ストラップ装置）
次に、本実施の形態のストラップ装置について説明する。図４は、本発明の実施の形態２におけるストラップ装置を示す正面図、図５は、本発明の実施の形態２におけるストラップ装置を示す背面図、図６は、図４のIV−IV断面図、図７は、本発明の実施の形態２におけるストラップ装置の、ストラップベルトを開放した状態を示す正面図、図８は、本発明の実施の形態２におけるストラップ装置の、ストラップベルトの長さ調整を説明するための正面図、図９は、本発明の実施の形態２における、電子装置本体の背面に装着されたストラップ装置を示す正面図である。
【００３７】
図４〜図６に示すように、本実施の形態のストラップ装置１２は、被装着体に取り付けられる、略平板状のベルトベース１３と、輪状に形成され、ベルトベース１３の略中心部にベルトベース１３と略平行な面内で回動自在に軸支されたストラップベルト１４とを備えている。ここで、ベルトベース１３は、ベルトベース１３を回動自在に軸支する軸受部材としてのピボット金具１５を備える背面部と、背面部に対向する正面部とにより構成され、ストラップベルト１４は、ベルトベース１３の正面部から背面部にベルトベース１３を跨ぐように構成されている。ストラップ装置１２をこのような構成としたことにより、ストラップ装置１２を例えば電子装置本体１の背面に装着した場合に（図９参照）、輪状のストラップベルト１４の、ベルトベース１３の背面側に位置する部分がベルトベース１３によって押さえられるので、ストラップベルト１４の形状を安定させることができる。尚、ストラップベルト１４は、図４の状態から±２０°程度回動させることができる（図４の矢印Ｂ、Ｃ参照）。
【００３８】
また、ストラップベルト１４は、ベルトベース１３における相対向する左右の外周縁それぞれから突出しており、これにより、ストラップベルト１４のベルトベース１３に対する回動動作を許容することができるようにされている。
【００３９】
また、ベルトベース１３における左右の外周縁には凹状の切欠き部２３、２４が設けられている。このような構成にすれば、ストラップベルト１４のベルトベース１３に対する回動動作を許容しつつ、ストラップベルト１４の小型化を図ることができる。
【００４０】
また、ストラップベルト１４が突出する左右の外周縁間を連結するベルトベース１３の上下の外周縁には、切欠き部１６、１７が設けられている。上述のように、電子装置本体１の第２筐体３の上側の中央部にはカメラ７が設けられているが、上側の切欠き部１６は、ストラップ装置１２を電子装置本体１の背面側の第２筐体３に装着したときにカメラ７が隠れないようにするためのものである（図９参照）。また、上述のように、電子装置本体１の第２筐体３の左右両側に設けられた一対のバッテリーパック９の対向する縁部９ｂは、電子装置本体１を両手で持って操作するときに親指以外の指の先端が当たる箇所であるが、下側の切欠き部１７は、ストラップ装置１２を電子装置本体１の背面側の第２筐体３に装着したときに当該縁部９ｂが隠れないようにするためのものである（図９参照）。さらに、ベルトベース１３には、上側の左右に長円形の開口２２が設けられている。上述のように、電子装置本体１の第２筐体３の上側の左右に長円形のトリガーボタン８が設けられているが、開口２２は、ストラップ装置１２を電子装置本体１の背面側の第２筐体３に装着したときにトリガーボタン８が隠れないようにするためのものである（図９参照）。
【００４１】
また、ベルトベース１３の正面側の略中心部には、ストラップベルト１４側に突出する突出部１８が設けられており、これにより、掌をストラップベルトに通したときに突出部１８が掌の窪みに位置するようにされている（図１０参照）。そして、このような突出部１８を設けることにより、掌をストラップベルト１４に通して被装着体としての電子装置本体１等を保持する際に、突出部１８が掌の窪みに馴染み、余分な力を必要とせず、把持しやすくなるので、電子装置本体１等を快適に使用することができる。尚、突出部１８は、丸みを帯びているのが好ましい。
【００４２】
ベルトベース１３には、上側の左右一対のコーナー部に取付部材としてのネジ挿通孔１９が設けられている。これにより、ストラップ装置１２を電子装置本体１の背面側に装着する際に、ベルトベース１３のネジ挿通孔１９を電子装置本体１側のネジ孔１０の位置に合わせ、ネジ２０を用いてネジ止め固定することができる（図９参照）。また、ベルトベース１３には、下側の左右一対のコーナー部に取付部材としての係止金具２１が設けられている。これにより、ストラップ装置１２を電子装置本体１の背面側に装着する際に、ベルトベース１３の係止金具２１を電子装置本体１側のフック部１１（図１３参照）に係止することができる（図９参照）。このように、ベルトベース１３の下側の左右一対のコーナー部の取付部材は、電子装置本体１に対して着脱可能に構成されている。このため、電子装置本体１のバッテリー交換を、ベルトベース１３の下側の左右一対のコーナー部の係止金具２１を電子装置本体１側のフック部１１から外し、かつ、バッテリーパック９の蓋体９ａを取り外すことにより、容易に行うことができる。
【００４３】
図７、図８に示すように、ストラップ装置１２のストラップベルト１４は、途中がベルトベース１３の背面側でベルトベース１３の中心部に回動自在に軸支された帯状のベルト部材１４ａと、ベルト部材１４ａの一端に設けられ、ベルト部材１４ａの他端部が挿通される挿通金具１４ｂと、ベルト部材１４ａの他端部側に設けられ、ベルト部材１４ａの他端部を、挿通金具１４ｂに挿通した状態で保持（挟持）固定する保持固定部材１４ｃとを備えている。ここで、ベルト部材１４ａの他端部の保持固定は、ベルト部材１４ａの他端部と保持固定部材１４ｃに設けられた面ファスナー（図示せず）によって行われる。そして、このようにして、ベルト部材１４ａの他端部を、挿通金具１４ｂに挿通した状態で保持固定することにより、輪状のストラップベルト１４が形成される。この場合、挿通金具１４ｂに挿通するベルト部材１４ａの他端部の長さを調整することにより、輪状のストラップベルト１４の大きさをユーザの手の大きさに合わせて変えることができる。
【００４４】
（ストラップ装置、及び、当該ストラップ装置を装着した電子装置本体の使用方法）
次に、本実施の形態のストラップ装置、及び、当該ストラップ装置を装着した電子装置本体の使用方法について説明する。
【００４５】
図１０は、本発明の実施の形態２における、ストラップ装置を装着した電子装置本体の使用状態を示す正面図である。
【００４６】
本実施の形態のストラップ装置１２は、電子装置本体１の背面側に装着した状態で使用される（図９参照）。ストラップ装置１２の電子装置本体１への装着は、まず、ベルトベース１３の上側の左右一対のコーナー部のネジ挿通孔１９を電子装置本体１側のネジ孔１０の位置に合わせ、ネジ２０を用いてネジ止め固定し、次いで、ベルトベース１３の下側の左右一対のコーナー部の係止金具２１を電子装置本体１側のフック部１１に係止することにより行われる。そして、このようにしてストラップ装置１２を電子装置本体１に装着したら、左手の掌をストラップベルト１４に通して電子装置本体１を保持し、右手で第１入力キー５ａのキー操作等を行う。この場合、左手の掌を通すストラップベルト１４が、電子装置本体１に取り付けられるベルトベース１３の略中心部に当該ベルトベース１３と略平行な面内で回動自在に軸支されているので、図１０に示すように、電子装置本体１を手首で傾けなくても、電子装置本体１を回転させて、液晶表示部４の視認性、及び、キー入力部５やタッチパネルの操作性を向上させることができる。その結果、電子装置本体１を左手で保持した状態で長時間使用しても、手首の疲労に繋がることはない。また、ストラップベルト１４はベルトベース１３（電子装置本体１）に対して時計回り、反時計回りに回動させることができるので、右利きのユーザが使用しても左利きのユーザが使用しても、同様の効果を得ることができる。また、本実施の形態の電子装置は、上述のように、把持しやすく、操作性にも優れるので、掌をストラップベルトに通して保持した電子装置本体１の落下を抑制することができる。その結果、電子装置本体１の落下によって当該電子装置本体１が故障したり、ユーザ自身やその周りの人間を傷つけたりすることもなくなる。
【００４７】
尚、本実施の形態のストラップ装置１２においては、ベルトベース１３における左右の外周縁には凹状の切欠き部２３、２４が設けられているが、この凹状の切欠き部２３、２４は必ずしも必須のものではない。
【００４８】
また、本実施の形態のストラップ装置１２においては、ストラップベルト１４が突出する左右の外周縁間を連結するベルトベース１３の上下の外周縁に切欠き部１６、１７が設けられているが、切欠き部はベルトベースの上下の少なくともいずれか一方の外周縁に設けられていればよい。また、被装着体としての電子装置本体等の背面側にカメラ等が無い場合には、ベルトベースの上下の外周縁に切欠き部を設ける必要はない。
【００４９】
また、本実施の形態のストラップ装置１２においては、掌をストラップベルトに通したときに掌の窪みに位置する突出部１８が設けられているが、この突出部１８は必ずしも必須のものではない。
【００５０】
また、本実施の形態のストラップ装置１２においては、ベルトベース１３が、ストラップベルト１４を回動自在に軸支する軸受部材としてのピボット金具１５を備える背面部と、背面部に対向する正面部とにより構成され、ストラップベルト１４が、ベルトベース１３の正面部から背面部にベルトベース１３を跨ぐように構成されているが、必ずしもこの構成に限定されるものではない。例えば、輪状のストラップベルトを、ベルトベースの正面側に配置し、かつ、ベルトベースの正面側で軸支するようにしてもよい。そして、この場合、掌をストラップベルトに通したときに掌の窪みに位置する突出部は、必要に応じて、ストラップベルトに設けられる。
【００５１】
また、本実施の形態のストラップ装置１２においては、ベルトベース１３の下側の左右一対のコーナー部の取付部材のみが、被装着体（電子装置本体１）に対して着脱可能に構成されているが、ベルトベースにおける、上側の左右一対のコーナー部の取付部材及び下側の左右一対のコーナー部の取付部材の少なくともいずれか一方が、被装着体に対して着脱可能に構成されていればよい。また、被装着体としての電子装置本体等の背面側に取り外し可能な蓋体を備えたバッテリーパックが設けられていない場合には、ベルトベースのいずれのコーナー部の取付部材も、被装着体としての電子装置本体等に対して着脱可能に構成する必要はない。
【００５２】
尚、上記実施の形態においては、ノートパソコンとＰＤＡとを例に挙げて説明したが、本発明のストラップ装置は、例えば、ゲーム機、携帯ＮＡＶＩ、患者の日々のデータを収集しホストコンピュータに送信する看護用端末等にも広く適用することができる。
【産業上の利用可能性】
【００５３】
以上のように、本発明によれば、例えば、被装着体としての表示部及びキー入力部を有する電子装置本体に装着して用いる場合に、電子装置本体を手首で傾けることなく、表示部の視認性、及び、キー入力部やタッチパネルの操作性を向上させることができるストラップ装置を提供することができる。従って、本発明は、ノートパソコン、ＰＤＡ、ゲーム機、看護用端末等の、携帯性に優れた電子装置の携帯性を向上させるためのストラップ装置として有用である。
【図面の簡単な説明】
【００５４】
【図１】本発明の実施の形態１におけるストラップ装置を示す正面図
【図２】本発明の実施の形態１におけるストラップ装置を示す背面図
【図３】本発明の実施の形態１における、ストラップ装置を装着したノートパソコン本体の使用状態を示す背面斜視図
【図４】本発明の実施の形態２におけるストラップ装置を示す正面図
【図５】本発明の実施の形態２におけるストラップ装置を示す背面図
【図６】図４のIV−IV断面図
【図７】本発明の実施の形態２におけるストラップ装置の、ストラップベルトを開放した状態を示す正面図
【図８】本発明の実施の形態２におけるストラップ装置の、ストラップベルトの長さ調整を説明するための正面図
【図９】本発明の実施の形態２における、電子装置本体の背面に装着されたストラップ装置を示す正面図
【図１０】本発明の実施の形態２における、ストラップ装置を装着した電子装置本体の使用状態を示す正面図
【図１１】本発明の実施の形態２における電子装置本体を示す前面斜視図
【図１２】本発明の実施の形態２における電子装置本体を示す背面斜視図
【図１３】図１２のＡ部を拡大して示した斜視図
【符号の説明】
【００５５】
１  電子装置本体
２、３４  第１筐体
３、３５  第２筐体
４  液晶表示部
５  キー入力部
５ａ  第１入力キー
６  補助キー
７  カメラ
８  トリガーボタン（第２入力キー）
９  バッテリーパック
９ａ  蓋体
９ｂ  縁部
１０  ネジ孔
１１  フック部
１２、２５  ストラップ装置
１３、２６  ベルトベース
１４、２７  ストラップベルト
１４ａ  ベルト部材
１４ｂ  挿通金具
１４ｃ  保持固定部材
１５、２８  ピボット金具
１６、１７  切欠き部
１８、３０  突出部
１９、３１  ネジ挿通孔
２０、３２  ネジ
２１  係止金具
２２  開口
２３、２４  凹状の切欠き部
２９  ノートパソコン本体
３３  雄型のホック
【図１】
2009205531.tif 000003
【図２】
2009205531.tif 000004
【図３】
2009205531.tif 000005
【図４】
2009205531.tif 000006
【図５】
2009205531.tif 000007
【図６】
2009205531.tif 000008
【図７】
2009205531.tif 000009
【図８】
2009205531.tif 000010
【図９】
2009205531.tif 000011
【図１０】
2009205531.tif 000012
【図１１】
2009205531.tif 000013
【図１２】
2009205531.tif 000014
【図１３】
2009205531.tif 000015